(57)【特許請求の範囲】
【請求項１】
正極用の電源供給側電線挿入孔及び正極用の電源送り側電線挿入孔が開けられるとともに、前記正極用の電源供給側電線挿入孔に並ぶ負極用の電源供給側電線挿入孔及び前記正極用の電源送り側電線挿入孔に並ぶ負極用の電源送り側電線挿入孔が開けられた壁部を有し、端子押し部をアーム部の先端に有してほぼＴ字形状をなした一対の電源線解除レバーが、電源用でかつ同極の電源供給側と電源送り側の前記両電線挿入孔間に位置して前記壁部と一体でかつ点対称の配置に形成されたボディ、及びこのボディに連結されたカバーとを備える筐体と、
一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子押し部を位置させて、前記筐体に内蔵された正極用速結端子と、
一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子押し部を位置させて、前記筐体に内蔵された負極用速結端子と、
を具備したことを特徴とする電源端子台。
【請求項２】
前記正極用の両電線挿入孔と前記負極用の両電線挿入孔を四隅として前記ボディの壁部に想定される長方形領域内に前記一対の電源線解除レバーを設けたことを特徴とする請求項１に記載の電源端子台。
【請求項３】
前記一対の電源線解除レバーのアーム部を斜めに設けたことを特徴とする請求項２に記載の電源端子台。
【請求項４】
前記一対の電源線解除レバーの端子押し部が正負両極の前記速結端子に跨る長さを有しており、この端子押し部とそれを支持するアーム部とがつながった部分に押し込み工具受け部を設けて、この受け部を異極の電線挿入孔間の中央部に対して横並びの位置に設けたことを特徴とする請求項１〜３のうちのいずれか１項に記載の電源端子台。
【請求項５】
前記押し込み工具受け部を凹みによって形成したことを特徴とする請求項４に記載の電源端子台。
【請求項６】
前記端子押し部とこれに対応する前記速結端子の各鎖錠片とを当接させて、これら鎖錠片により前記各解除レバーを、その自由状態よりも前記壁部の表面側に付勢して弾性変形させたことを特徴とする請求項１〜５のうちのいずれか１項に記載の電源端子台。
【請求項７】
正負両極の速結端子の鎖錠片に跨る前記一対の電源線解除レバーの端子押し部の裏面に、前記正負両極の速結端子間に位置する係合突起を前記カバー方向に突設し、かつ、前記端子押し部が押し込まれた際に前記アーム部とは反対側から前記係合突起に係合して、この突起を支持する当接部を前記カバーの裏面に設けたことを特徴とする請求項１〜６のうちのいずれか１項に記載の電源端子台。
【請求項８】
前記ボディの壁部にアース供給用の電線挿入孔及びアース送り用の電線挿入孔を開けるとともに、これら両電線挿入孔間に配置される端子押し部をアーム部の先端に有した一対のアース線解除レバーを一体に形成し、
一対の電線受け部及びこれら電線受け部に対向して斜めに配置された弾性変形可能な一対の鎖錠片を有したアース用速結端子を前記筐体に内蔵し、前記電線受け部に近接した前記鎖錠片の先端部をアース用の前記両電線挿入孔に個別に対向させるとともに、前記鎖錠片の基端と先端部との間の中間部上に前記アース線解除レバーの端子押し部を位置させ、
かつ、前記一対のアース線解除レバーに、前記アース用速結端子の鎖錠片上に配置される前記端子押し部とは逆側に突出する凸部を設け、この凸部にその裏側から対向するストッパ部を前記カバーの裏面に設けたことを特徴とする請求項１〜７のうちのいずれか１項に記載の電源端子台。
【請求項９】
前記一対のアース線解除レバーのアーム部をくの字状に折り曲げ、これら一対のアーム部がほぼＵ字形状をなして並ぶように前記一対のアース線解除レバーを、そのアーム部の根元を中心に対称に設けたことを特徴とする請求項１〜８のうちのいずれか１項に記載の電源端子台。
【請求項１０】
前記筐体を固定するために前記カバーに設けた単一のねじ通孔の孔縁に前記カバーの裏側に突出する円形リブを設けるとともに、前記カバーの裏面に突設されて前記正負両極の速結端子を支持する端子押さえ部の前記ねじ孔に近い方の端子押さえ部と前記円形リブとにわたる連続リブを、前記カバーの裏面に突設したことを特徴とする請求項１に記載の電源端子台。
【請求項１１】
前記各電源線解除レバーの端子押し部がマイナスドライバーで押され得る長さを有しているとともに、この端子押し部の表面に、前記電源線解除レバーに対応する電源線用の前記速結端子が有する鎖錠片の基部側に寄せてストッパ突起を設けたことを特徴とする請求項１〜１０の内のいずれか１項に記載の電源端子台。
【請求項１２】
前記各電源線解除レバーの端子押し部がマイナスドライバーで押され得る長さを有しているとともに、前記各電源線解除レバーの端子押し部の裏面に、電源線用の正極及び負極の前記速結端子間に配置される摺動部を一体に設け、この摺動部を前記正負両極の速結端子に摺動可能に接触させたことを特徴とする請求項１〜１１の内のいずれか１項に記載の電源端子台。
【請求項１３】
前記各解除レバーのアーム部を前記ボディの壁部表面と面一的に設けるとともに、前記各解除レバーの端子押し部を前記ボディの壁部表面から凹むように後退させたことを特徴とする請求項１〜１２の内のいずれか１項に記載の電源端子台。
【請求項１４】
電源線引込み孔を有するシャーシと、
このシャーシに固定された前記請求項１〜１３のうちのいずれかに記載の電源端子台と、
この電源端子台と電気的に接続されて前記シャーシに取付けられたランプソケットと、
このランプソケットに取付けられたランプと、
を具備したことを特徴とする照明器具。
【発明の詳細な説明】
【０００１】
【発明の属する技術分野】
本発明は、電源線と器具内配線との中継をなす電源端子台、及びこの端子台を備える蛍光灯照明器具等の照明器具に関する。
【０００２】
【従来の技術】
電源端子台は、合成樹脂製の筐体内に、電源の正極及び負極用の一対の速結端子を内蔵するとともに、アース用の速結端子を内蔵している。筐体のボディには各速結端子に個別に対応して電線挿入孔が開けられていて、これらの挿入孔に挿入された電線の芯線は、その挿入箇所に対応する各速結端子の電線受け部とこれに斜めに対向する弾性変形可能な鎖錠片とで挟持されることにより、対応する速結端子に接続されるようになっている。
【０００３】
そして、電源端子台には以上のように接続された電線を必要に応じて引き外すための解除手段が設けられている。この解除手段の中でも、各電線挿入孔が開けられたボディの壁部に、これと一体に形成されてドライバー等の工具で押し込むことにより弾性変形できる解除レバーを設けたものが知られている。この種のものは部品点数が少なく構成が簡単である点などにおいて優れている。
【０００４】
図２６には接続された電線をボディと一体の解除レバーによって解除できる従来の電源端子台の速結端子が示されている。この図２６に示されるように基板部１の幅方向両側にはこの基板部１の一面側に向けて電線受け部２が夫々折り曲げられ、かつ、図２６（Ｂ）において基板部１の上端には一対の鎖錠片３が前記一面側に向けて折り曲げられている。これら鎖錠片３は電線受け部２に対して斜めに配置された鎖錠片主部３ａと、この主部３ａの電線受け部２側の端から一体に突設されたレバー受け凸部３ｂとで形成されている。図２６（Ａ）（Ｃ）に示すようにレバー受け凸部３ｂは電線受け部２とは干渉することがない位置に突設されている。又、図２６中４は基板部１の前記一面に固定された他の鎖錠片、５は前記ボディに一体に形成された一対の解除レバー、６は電線を夫々示している。
【０００５】
一対の解除レバー５は互いに背向して一直線上にあるように設けられている。それらの自由端部からなる端子押し部５ａの上下両面には、端子当接凸部と幅方向に湾曲する押し込み工具受け凸部とが夫々形成され、その端子当接凸部は図２６（Ｂ）に示すように前記レバー受け凸部３ｂに近接ないしは接触して配置される。
【０００６】
この速結端子において、図示しない電線挿入孔から挿入された電線６の芯線は、鎖錠片主部３ａを弾性変形させるとともに、鎖錠片主部３ａの先端３ｃと電線受け部２との間に挟持され、更に、芯線の先端部側は鎖錠片４の先端と電線受け部２との間に挟持される。それにより、電線６と速結端子とが機械的及び電気的に接続される。
【０００７】
この接続状態において、ドライバー等で解除レバー５の弾性変形を伴ってその自由端部の押し込み工具受け凸部を押すことにより、前記端子当接凸部が鎖錠片３のレバー受け凸部３ｂを押して鎖錠片主部３ａを更に弾性変形させるから、鎖錠片主部３ａの先端３ｃと電線受け部２との間が広げられて、これらの間での電線拘束力を大きく低下させることができる。したがって、この状態で電線６を引き抜くことができる。なお、他の鎖錠片４の先端は丸まっていて電線６の芯線に食い込むことはないので、前記電線６の引き抜きの支障となることはない。
【０００８】
ところで、前記ボディの電線挿入孔は、電源線用として４個、つまり、正極の電源供給用及び電源送り用と、負極の電源供給用及び電源送り用とが必要である。又、アースが必要であるものは、加えて、アース線の供給用及び送り用として２個必要である。そして、これらはいずれも同一方からの電線挿入操作を可能ならしめるためボディの同じ壁部に設けられる。一方、電源端子台の大きさは、この端子台が設置される照明器具の小形化に伴って制限されている。
【０００９】
このような条件下において、既述のように速結端子の鎖錠片３がその長手方向に突出するレバー受け凸部３ｂを有していて、この凸部３ｂを解除レバー５で押すことによって、接続された電線の解除を行う従来の構成によれば、電源端子台の大きさに準じて規定される速結端子の大きさは、解除レバー５で押される一対のレバー受け凸部３ｂの間隔Ｍに略等しく、そして、これらレバー受け凸部３ｂの根元部の位置に略対応して電線６が挿入されるから、前記間隔Ｍの内側位置に供給用及び送り用の電線挿入孔が設けられる。そのため、同極の速結端子における電線受け部２同士の間隔、言い換えれば、図２６（Ｂ）中の一対の電線６の相互の間隔Ｎで代用して示される供給用及び送り用の電線挿入孔の間隔が狭い。したがって、特に、電源線を接続する際等において、既に接続された電線が邪魔になり易く、作業性がよくない。
【００１０】
更に、レバー受け凸部３ｂは鎖錠片３の自由端であり、この部分を押して電線の接続を解除するから、電線の解除を行うのに必要とされるレバー受け凸部３ｂの変位量が大きい。それに伴い、前記ボディに一体に形成された解除レバー５に必要とされる解除ストロークも大きいので、この解除レバー５に掛かる応力が大きく、よって、解除操作に伴って解除レバー５が過度に変形し易く破損するおそれが高い。
【００１１】
しかも、速結端子の鎖錠片３がレバー受け凸部３ｂを有しており、この凸部３ｂは容易に変形しないように図２６（Ｃ）に示すように円弧状断面をもって形成されている。そのため、速結端子の曲げ成形が面倒であり、そのコストが掛かり、ひいては端子台のコストアップの一因となっている。
【００１２】
又、既述のように解除レバー５の端子押し部５ａは、その上面に解除レバー５の幅方向に湾曲する押し込み工具受け凸部を設けているので、端子押し部５ａを押す時に、その湾曲面に沿ってドライバー等押し込み工具の先端が滑り易い。そのため、電線の接続操作時に適正に押し込みずらく、かつ、解除レバー５がねじれる場合が多いという不具合がある。そのため、特に、正極と負極の電源線を同時に解除することが困難となり易い。
【００１３】
【発明が解決しようとする課題】
本発明が解決しようとする課題は、電線の接続作業性を向上できるとともに、接続された電線の解除をする解除レバーの変形・破損を防止でき、しかも安価な電源端子台及び照明器具を得ることにある。
【００１４】
【課題を解決するための手段】
前記課題を解決するために、請求項１に係る発明の電源端子台は、正極用の電源供給側電線挿入孔及び正極用の電源送り側電線挿入孔が開けられるとともに、前記正極用の電源供給側電線挿入孔に並ぶ負極用の電源供給側電線挿入孔及び前記正極用の電源送り側電線挿入孔に並ぶ負極用の電源送り側電線挿入孔が開けられた壁部を有し、端子押し部をアーム部の先端に有してほぼＴ字形状をなした一対の電源線解除レバーが、電源用でかつ同極の電源供給側と電源送り側の前記両電線挿入孔間に位置して前記壁部と一体でかつ点対称の配置に形成されたボディ、及びこのボディに連結されたカバーとを備える筐体と、一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子押し部を位置させて、前記筐体に内蔵された正極用速結端子と、一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子押し部を位置させて、前記筐体に内蔵された負極用速結端子と、を具備したことを特徴とする。
この発明においては、請求項２の発明のように、前記正極用の両電線挿入孔と前記負極用の両電線挿入孔を四隅として前記ボディの壁部に想定される長方形領域内に前記一対の電源線解除レバーを設けるとよい。
【００１５】
この発明及び以下の各発明において、筐体をなすボディ及びカバーは、いずれも電気絶縁材料、例えば合成樹脂、好ましくはナイロン等により形成される。又、この発明及び以下の各発明において、各速結端子は、いずれも導電性材料、例えば金属、好ましくは燐青銅板のようにばね性を有する銅合金等により形成されるとともに、差し込んで接続された電線の引き抜きを妨げない丸まった自由端部を有して、これと電線受け部との間で電線の芯線を挟んで主として電気的接続を担う他の鎖錠片が付加されていてもよく、又、電線受け部を有した部分と鎖錠片を有した部分とは、一体であっても、別に形成されたものであってもよく、別成形の場合には両者をリベット止めや溶接止め等により連結することが好ましい。
【００１６】
この請求項１，２の発明においては、速結端子の電線受け部と斜状の鎖錠片の先端との間に挟持された電線を外す際には、ボディに一体に形成された解除レバーの端子押し部がドライバー等の押し込み工具で押されて、解除レバーがそのアーム部の根元を支点に押し込まれる。それに伴い端子押し部が、それに対向する速結端子の鎖錠片の先端部と基端との間の中間部を押して、鎖錠片を弾性変形させてその先端部を電線受け部から遠ざけるので、この鎖錠片と電線受け部との間での電線の拘束を解除でき、電線の引き抜きが可能となる。
【００１７】
このようにボディに一体に形成された解除レバーの端子押し部で鎖錠片の先端と基端との間の中間部を押して、接続された電線を解除するから、鎖錠片の長さを従来と同じとした場合との比較において、請求項１の発明では、速結端子の鎖錠片の先端と基端との間に対応する位置で電線が挿入して接続されることがなくなって、同極の速結端子の電線受け部同士の間隔を広くでき、それに伴い同極の速結端子に接続される電線が挿入される電線挿入孔同士の間隔を広くできる。更に、前記のように鎖錠片の中間部を解除レバーの端子押し部で押すから、鎖錠片の先端部を押して電線解除をする場合よりも、電線解除を行うのに必要とされる解除レバーの解除ストロークを小さくできる。又、鎖錠片には従来のように解除レバーの電線押し部を受けるための特別な構成を必要としないので、鎖錠片の構成が簡単である。
【００２０】
請求項３に係る発明の電源端子台は、前記一対の電源線解除レバーのアーム部を斜めに設けたことを特徴とする。
【００２１】
この発明においては、互いに相手に制約されることなく設けられた一対の電源線解除レバーのアーム部を斜めになった分に応じて更に長くできる。
【００２２】
請求項４に係る発明の電源端子台は、前記一対の電源線解除レバーの端子押し部が正負両極の前記速結端子に跨る長さを有しており、この端子押し部とそれを支持するアーム部とがつながった部分に押し込み工具受け部を設けて、この受け部を異極の電線挿入孔間の中央部に対して横並びの位置に設けたことを特徴とする。
【００２３】
この発明においては、押し込み工具受け部にドライバー等の押し込み工具を当てて端子押し部を押して電線解除をする際に、特に請求項３の発明のようにアーム部が斜めであっても、電線解除レバーがねじれることを少なくできる。
【００２４】
請求項５に係る発明の電源端子台は、前記押し込み工具受け部を凹みによって形成したことを特徴とする。
【００２５】
この発明においては、電線解除をする際に、解除レバーの押し込み位置を明確に知ることができるとともに、凹みにドライバー等の押し込み工具の先端を係合させて端子押し部を押せるので、その際に押し込み工具が滑ることを防止できる。
【００２６】
請求項６に係る発明の電源端子台は、前記端子押し部とこれに対応する前記速結端子の各鎖錠片とを当接させて、これら鎖錠片により前記各解除レバーを、その自由状態よりも前記壁部の表面側に付勢して弾性変形させたことを特徴とする。
【００２７】
この発明においては、端子台の組立てにより速結端子で解除レバーを押して予めボディの壁部表面側に弾性変形させているから、電線解除時の解除レバーの動きを、この解除レバーの自由状態での位置を基準とした場合、この基準位置の両側に振分けて、前記基準の位置に対する解除レバーの変形量を少なくできる。そして、電線接続状態では解除レバーに接している鎖錠片がボディ表面から遠ざかる方向に変位するに伴い、解除レバーの位置が変るので、このレバーの高さ位置を目視することで、挿入された電線の接続完了を容易に知ることができる。
【００２８】
請求項７に係る発明の電源端子台は、正負両極の速結端子の鎖錠片に跨る前記一対の電源線解除レバーの端子押し部の裏面に、前記正負両極の速結端子間に位置する係合突起を前記カバー方向に突設し、かつ、前記端子押し部が押し込まれた際に前記アーム部とは反対側から前記係合突起に係合して、この突起を支持する当接部を前記カバーの裏面に設けたことを特徴とする。
【００２９】
この発明において、正負両極の速結端子の鎖錠片に跨っている電源線解除レバーの端子押し部は、電源線を解除する際に前記正負両極の速結端子の鎖錠片の傾斜に沿って滑るように変形しようとする。しかし、このような変形に伴い端子押し部の係合突起が、電源線解除レバーのアーム部とは反対側においてカバーの当接部に当るから、この当接部のストッパ作用により端子押し部の前記変形を防止できる。
【００３０】
請求項８に係る発明の電源端子台は、前記ボディの壁部にアース供給用の電線挿入孔及びアース送り用の電線挿入孔を開けるとともに、これら両電線挿入孔間に配置される端子押し部をアーム部の先端に有した一対のアース線解除レバーを一体に形成し、一対の電線受け部及びこれら電線受け部に対向して斜めに配置された弾性変形可能な一対の鎖錠片を有したアース用速結端子を前記筐体に内蔵し、前記電線受け部に近接した前記鎖錠片の先端部をアース用の前記両電線挿入孔に個別に対向させるとともに、前記鎖錠片の基端と先端部との間の中間部上に前記アース線解除レバーの端子押し部を位置させ、かつ、前記一対のアース線解除レバーに、前記アース用速結端子の鎖錠片上に配置される前記端子押し部とは逆側に突出する凸部を設け、この凸部にその裏側から対向するストッパ部を前記カバーの裏面に設けたことを特徴とする。
【００３１】
この発明において、アース線解除レバーは、そのアーム部の根元と端子押し部の先端との中間部分をドライバー等の押し込み工具で押されることにより、アース用速結端子の鎖錠片を端子押し部で押して弾性変形させるが、ある程度の押し込みが進行した時点で、端子押し部とは逆側に突出している凸部がカバーのストッパ凸部に当って支持される。その結果、アース線解除レバーは、互いに当っている前記両凸部と前記鎖錠片に当っている端子押し部との間が押されるので、押し込み力がストッパ凸部を支点とするてこ作用で端子押し部に作用して、端子押し部側が鎖錠片をより押し下げるように傾けられる。従って、少ない押し込み量でアース線を解除できる。
【００３２】
なお、前記両凸部がないとすると、アース線の解除ができる程度にアース線解除レバーが押し込まれた状態では端子押し部は前記鎖錠片に当って支持されているから、前記中間部分に押し込み力が集中するようになって、前記中間部分が理論的には際限なく撓んで変形・破損するおそれが考えられるが、前記構成によれば、端子押し部とは逆側に突出している凸部が、カバーのストッパ凸部に当って支持されるに伴ない、それ以上前記中間部分が撓むことを防止できる。
【００３３】
請求項９に係る発明の電源端子台は、前記一対のアース線解除レバーのアーム部をくの字状に折り曲げ、これら一対のアーム部がほぼＵ字形状をなして並ぶように前記一対のアース線解除レバーを、そのアーム部の根元を中心に対称に設けたことを特徴とする。
【００３４】
この発明においては、一対のアース線解除レバーの長さを、アース用の電線挿入孔等が開けられたボディの壁部の限られた面積内で長くとることができる。
【００３５】
請求項１０に係る発明の電源端子台は、前記筐体を固定するために前記カバーに設けた単一のねじ通孔の孔縁に前記カバーの裏側に突出する円形リブを設けるとともに、前記カバーの裏面に突設されて前記正負両極の速結端子を支持する端子押さえ部の前記ねじ孔に近い方の端子押さえ部と前記円形リブとにわたる連続リブを、前記カバーの裏面に突設したことを特徴とする。
【００３６】
この発明においては、カバーの裏面に突設されている端子支えリブのうちねじ孔側の端子支え部とねじ孔の孔縁の円形リブとを一体につないだ連続リブによって、カバーを補強したから、接続された電線を介して加えられる外力で筐体がこじられる場合に、ねじ孔を中心とするカバーの撓みを抑制できる。
【００３７】
請求項１１に係る発明の電源端子台は、前記各電源線解除レバーの端子押し部がマイナスドライバーで押され得る長さを有しているとともに、この端子押し部の表面に、前記電源線解除レバーに対応する電源線用の前記速結端子が有する鎖錠片の基部側に寄せてストッパ突起を設けたことを特徴とする。
【００３８】
この発明においては、マイナスドライバーの刃先で電源線解除レバーの端子押し部を押して、電線挿入孔に誤って挿入された電線を引抜く際に、端子押し部上において前記刃先が、前記のように押される電源線解除レバーに対応する電源線速結端子の鎖錠片の基部側に滑り動くことを、ストッパ突起で妨げるとともに、前記刃先で端子押し部を適正に押すことができる。そのため、マイナスドライバーで電源線解除レバーの端子押し部が押し込まれる場合に、前記ドライバーの刃先が筐体内に誤って入り込んで、電源線解除レバーに対応する電源線速結端子に接する恐れがなくなり、活線状態（照明器具の点灯状態）下で、誤挿入されている電線を引抜く際に作業者が感電するおそれを防止できる。
【００３９】
請求項１２に係る発明の電源端子台は、前記各電源線解除レバーの端子押し部がマイナスドライバーで押され得る長さを有しているとともに、前記各電源線解除レバーの端子押し部の裏面に、電源線用の正極及び負極の前記速結端子間に配置される摺動部を一体に設け、この摺動部を前記正負両極の速結端子に摺動可能に接触させたことを特徴とする。
【００４０】
この発明においては、マイナスドライバーの刃先で電源線解除レバーの端子押し部を押して、電線挿入孔に誤って挿入された電線を引抜く際に、マイナスドライバーで端子押し部がその一端側に偏って押し込まれた場合に、解除レバーは前記押し込み端側が他端側に比して下がる方向に捻じれようとする。しかし、端子押し部の裏面には突設された摺動部が、電源線用の正負両極の速結端子に摺動可能に接しているから、前記押し込み側の速結端子をストッパとして解除レバーの前記捻じれを防止しつつ、両速結端子をガイドとして摺動部を摺動させて端子押し部を真っ直ぐに押し込ませることができる。したがって、それに伴い前記ドライバーの刃先が筐体内に入り込んで、電源線解除レバーに対応する電源線速結端子に接する恐れがなくなり、活線状態（照明器具の点灯状態）下で、誤挿入されている電線を引抜く際に誤って作業者が感電するおそれを防止できる。
【００４１】
請求項１３に係る発明の電源端子台は、前記各解除レバーのアーム部を前記ボディの壁部表面と面一的に設けるとともに、前記各解除レバーの端子押し部を前記ボディの壁部表面から凹ませて設けたことを特徴とする。
【００４２】
この発明においては、各解除レバーのアーム部が筐体の壁部に対して突出したり凹んだりしておらず前記壁部の表面と略面一であるとともに、端子押し部のみが前記壁部の表面から凹んでいるので、手探り状態でも端子押し部の位置をアーム部の位置とは明確に区別して知覚させることができる。そのため、電線解除を必要とする電源線用又はアース線用の解除レバーの端子押し部をドライバーで押して、電線挿入孔に誤挿入されている電線を引抜く際に、解除レバーのアーム部を過度に押して折損に至らしめる恐れを抑制できるとともに、端子押し部を確実に押し込ませることができるに伴い、この端子押し部を介して鎖錠片を確実に弾性変形させて、誤挿入されている電線を引抜くことができる。
【００４３】
請求項１４に係る発明の照明器具は、電源線引込み孔を有するシャーシと、このシャーシに固定された前記請求項１〜１３のうちのいずれかに記載の電源端子台と、この電源端子台と電気的に接続されて前記シャーシに取付けられたランプソケットと、このランプソケットに取付けられたランプと、を具備したことを特徴とする。
【００４４】
この発明においては、電線の接続作業性を向上できるとともに、接続された電線の解除をする解除レバーの変形・破損を防止でき、しかも安価な電源端子台を備えるので、天井等への器具の取付け施工性に優れる高品質な照明器具を提供できる。
【００４５】
【発明の実施の形態】
以下、図１〜図１７を参照して本発明の第１実施形態を説明する。
【００４６】
図１中１１は天井側に例えば埋め込んで設置される蛍光灯照明器具を示し、この器具１１は、下面が開放されたシャーシ１２を備えている。このシャーシ１２の長手方向両端部に夫々一対のランプソケット１３が取付けられていて、シャーシ１２の長手方向に対向するランプソケット１３にわたって直管形の蛍光ランプ１４が取付けられている。
【００４７】
シャーシ１２の天井壁１２ａの裏面には、両蛍光ランプ１４間に位置して電源端子台１５が取付けられているとともに、図示しないが例えば電子安定器からなる点灯装置等が取付けられている。電源端子台１５には天井壁１２ａに穿った電源線引込み孔１６を通って天井裏からシャーシ１２内に引込まれる図示しない電源線が接続される。更に、電源端子台１５は図示しない負荷線（器具内配線）を介して前記点灯装置に接続されるとともに、図示しない負荷線を介してシャーシ１２の長手方向一端側のランプソケット１３に接続される。又、前記点灯装置は図示しない更に他の負荷線を介してシャーシ１２の長手方向他端側のランプソケット１３に接続される。そして、これら電源端子台１５、点灯装置、及び各負荷線を覆う断面Ｖ形の中央反射板１７が、２本の蛍光ランプ１４間に位置して前記天井壁１２ａに取付けられている。
【００４８】
次に、図２〜図１７を参照して電源端子台１５について説明する。この電源端子台１５は、図２〜図９等に示されるナイロン樹脂製の筐体２１と、図１５及び図１７等に示されるようにばね性を有する一枚の燐青銅板を折り曲げて形成された電源線の正極及び負極用の一対の速結端子２２、２３と、図１６等に示されるようにばね性を有する一枚の燐青銅板を折り曲げて形成されたアース用の速結端子２４とを備えている。速結端子２２、２３は同一構造である。
【００４９】
筐体２１は、図１０及び図１１等に示されるボディ２５と、図１２〜図１４等に示されてボディ２５に連結されるカバー２６とからなる。これらは、図２、図３、図６、図８、及び図９に示すようにボディ２５の側壁外面に一体に突設した複数の爪２７を、カバー２６の側壁に対応して設けた爪受け孔２８に夫々引っ掛けることによって組立てられている。図１３及び図１４等に示すようにカバー２６は一つのねじ通孔２９及び一対の位置決め凸部３０を有している。このカバー２６は、その位置決め凸部３０を前記天井壁１２ａに開けた図示しない一対の孔に挿入して位置決めした状態で、図示しない金属製ねじを、天井壁１２ａに開けた図示しない端子台取付け孔及びこれに対向するねじ通孔２９に通して締付けることにより、天井壁１２ａの裏面に前記ねじ１本で固定されている。なお、後述するが前記ねじは速結端子２４に螺合されるもので、このねじを介してシャーシ１２へのアースが取れるようになっている。
【００５０】
ボディ２５は、カバー２６が被着される面を開放した容器状をなし、その内部は、図１０及び図１１に示すように一体に形成された区画リブ３１により第１端子収容室３２と、第２端子収容室３３とに仕切られているとともに、第１端子収容室３２の一端部には他の仕切りリブ３４が一体に設けられている。
【００５１】
ボディ２５のカバー２６と反対側の壁部、つまり、電源端子台１５がシャーシ１２に固定された状態で下を向く壁部３５は、段差３６によって電源線挿入面部３５ａとアース線挿入面部３５ｂとに区分けされている。アース線挿入面部３５ｂは下側から見て電源線挿入面部３５ａよりもシャーシ１２側に低くなっており、それにより、手探りで両挿入面部３５ａ、３５ｂを識別できるようにしてある。
【００５２】
電源線挿入面部３５ａには、正極用の電源供給側電線挿入孔（以下、第１電源線挿入孔という。）４１と、同じく正極用の電源送り側電線挿入孔（以下、第１送り電源線挿入孔という。）４２とが夫々開けられているとともに、第１電源線挿入孔４１に並んで負極用の電源供給側電線挿入孔（以下、第２電源線挿入孔という。）４３と、同じく第１送り電源線挿入孔４２に並んで負極用の電源送り側電線挿入孔（以下、第２送り電源線挿入孔という。）４４とが夫々開けられている。
【００５３】
更に、電源線挿入面部３５ａには、互いに隣接している第１、第２の電源線挿入孔４１、４３と、互いに隣接している第１、第２の送り電源線挿入孔４２、４４との間に位置して、一対の電源線解除レバー（以下解除レバーと略称する。）４５、４６が夫々一体に形成されている。これらレバー４５、４６は、同一の構成であり、いずれもアーム部４７と端子押し部４８とを有して形成されているとともに、互いに逆向きとなって点対称の配置に設けられている。アーム部４７の一端からなる根元は電源線挿入面部３５ａに一体に接続され、アーム部４７の他端は端子押し部４８の長手方向中央部に一体に接続されており、それにより、解除レバー４５、４６はいずれも平面視ほぼＴ字形状をなしている。
【００５４】
両解除レバー４５、４６は、そのアーム部４７の根元を支点として弾性変形が可能であり、この変形を許すための隙間ｇが、図３及び図１０に示すように両解除レバー４５、４６の根元以外の周囲を沿って電源線挿入面部３５ａに設けられている。前記のように点対称に設けられた両解除レバー４５、４６のアーム部４７は、図３及び図１０に示すように互いに並んで平行に、しかも、斜めに設けられ、かつ、両解除レバー４５、４６の端子押し部４８も互いに平行に設けられている。
【００５５】
端子押し部４８は後で詳述する正負両極用の速結端子２２、２３に跨る（図８参照）長さを有している。この端子押し部４８とこれを支持するアーム部４７とが一体につながった部分には、押し込み工具受け部４９が設けられている。図３に示すように一方の解除レバー４５の押し込み工具受け部４９は、互いに隣接している第１、第２の電源線挿入孔４１、４３間の中央部に対して横並びに位置されており、同様に他方の解除レバー４６の押し込み工具受け部４９は、互いに隣接している第１、第２の送り電源線挿入孔４２、４４間の中央部に対して横並びに位置されている。
【００５６】
図５及び図８等に示すように押し込み工具受け部４９は、解除レバー４５、４６の表面から凹む凹部からなり、本実施形態では円形状の第１凹部とこれを直径方向に横切る第２凹部とから形成されている。第１凹部はプラスドライバーの先端部が嵌入するに適した大きさであり、これと第２凹部とはマイナスドライバーの先端部が嵌入するに適した大きさである。
【００５７】
図８及び図９等に示すように両解除レバー４５、４６の端子押し部４８は、その長手方向両端部裏面に夫々前記カバー２６方向に突出する端子当接突起４８ａを一体に有しているとともに、長手方向中央部にカバー２６方向に突出する摺動部４８ｂを一体に有している。摺動部４８ｂは、互いに並んで隣接配置される後述の速結端子２２、２３間に位置されるとともに、その突出長さは一対の端子当接突起４８ａよりも長い。したがって、端子押し部４８はほぼＴ字形状（図８参照）をなしている。摺動部４８ｂはその先端側程先細に形成されている。
【００５８】
図３及び図１０等に示すように前記アース線挿入面部３５ｂには、アース供給用の電線挿入孔５１とアース送り用の電線挿入孔５２とが夫々開けられているとともに、これら挿入孔５１、５２間に位置して一対のアース線解除レバー（以下、解除レバーと略称する。）５３、５４が一体に形成されている。電線挿入孔５１は前記第１、第２の電源線挿入孔４１、４３と並んで設けられ、同様に他方の電線挿入孔５２も前記第１、第２の電源線挿入孔４２、４４と並んで設けられている。
【００５９】
解除レバー５３、５４は、同一の構成であり、いずれもアーム部５５と端子押し部５６とを有しているとともに、その端子押し部５６側にはこれと逆側に一体に突出する凸部５７を有して形成され、互いに逆向きとなって線対称の配置に設けられている。アーム部５５の一端からなる根元はアース線挿入面部３５ｂに一体に接続され、アーム部５５の他端は端子押し部５６と凸部５７とが繋がった部分に一体に接続されており、それにより、解除レバー５３、５４はいずれも平面視ほぼＴ字形状をなしている。
【００６０】
両解除レバー５３、５４は、そのアーム部５５の根元を支点として弾性変形が可能であり、この変形を許すための隙間ｇが、図３及び図１０に示すように両解除レバー５３、５４の根元以外の周囲を沿ってアース線挿入面部３５ｂに設けられている。両解除レバー５３、５４のアーム部５５は、図３及び図１０に示すようにほぼくの字状に折り曲げられている。したがって、両解除レバー５３、５４は、前記のように対称に設けられることにより図３に示すように背向するアーム部５５相互がほぼＵ字形状をなして並ぶように形成されており、それに伴い両解除レバー５３、５４の端子押し部５６は互いにほぼ平行に設けられている。
【００６１】
端子押し部５６とこれを支持するアーム部５５とが一体につながった部分には、押し込み工具受け部５８が設けられている。図３及び図８に示すように押し込み工具受け部５８は、解除レバー５３、５４の表面から凹む凹部からなり、プラスドライバーの先端部が嵌入するに適した大きさである。両解除レバー５３、５４は、その端子押し部５６の裏面に夫々前記カバー２６方向に突出する端子当接突起５６ａを一体に有している。
【００６２】
又、ボディ２５の幅が狭くなった部分の側壁６１は負荷線挿入面部として用いられている。この側壁６１には、図３（Ｂ）、図９、図１１に示されるように正極用の一対の負荷線挿入孔６２が開けられているとともに、負極用の一対の負荷線挿入孔６３が開けられている。これら挿入孔６３には水平方向から前記負荷線が挿入される。なお、図３（Ｂ）中６４は負荷線挿入孔６２、６３の近傍に個別に設けられた負荷線リリース用のリリース孔である。
【００６３】
図１２〜図１４に示されるようにカバー２６の裏面（内面）には、一対の当接部７１と、ストッパ部としての一対のストッパ突起７２と、端子押さえ部としての一対の端子押さえリブ７３、及び端子支えリブ７４、７７等が、夫々前記壁部３５側に向けて一体に設けられている。一対の当接部７１と一対の端子押さえリブ７３一対のストッパ突起７２とは十字状のリブを介して接続されている。一対のストッパ突起７２は前記ねじ通孔２９の両側に設けられ、かつ、端子支えリブ７４はねじ通孔２９を間に置いて当接部７１及び端子押さえリブ７３とは反対側に設けられている。
【００６４】
図５に示すように一対の当接部７１は、前記解除レバー４５、４６の摺動部４８ｂと対向する位置に形成されており、その先端部に斜めの係合面７１ａを有している。このガイド面７１ａは、解除レバー４５、４６が押し込まれた時、その押し込み方向に移動する摺動部４８ｂを、それに解除レバー４５、４６のアーム部４７とは反対側から係合して支持するために設けられており、それにより、摺動部４８ｂひいてはこれを有した端子押し部４８が速結端子２２、２３の後述の鎖錠片の傾斜に沿って倣うように傾くことを防止するようになっている。
【００６５】
図７及び図８に示すように一対のストッパ突起７２は、前記解除レバー５３、５４の凸部５７と対向する位置に形成されている。これらの突起７２は、解除レバー５３、５４が押し込まれた時、その押し込みが或る程度進行した時点において凸部５７を動き止めするために設けられており、それにより、解除レバー５３、５４の端子押し部５６による速結端子２４の後述の鎖錠片に対する押圧を増幅ならしめるようになっている。
【００６６】
図８に示すように一対の端子押さえリブ７３は、前記速結端子２２、２３と対向する位置に形成されていて、これら速結端子２２、２３をカバー２６側から支持するために設けられている。図６に示すように端子支えリブ７４は、前記速結端子２４と対向する位置に形成されていて、この端子の後述する鎖錠片の過度の弾性変形を防止するストッパとして用いられている。又、端子支えリブ７７は、前記速結端子２４と対向する位置に形成されていて、この端子２４をカバー２６側から支持するために設けられている。
【００６７】
更に、図１２及び図１３に示すように前記ねじ通孔２９の孔縁にはカバー２６の裏側に突出する円形リブ７５が設けられているとともに、カバー２６の裏面には円形リブ７５とこれに近い方の端子押さえリブ７３及び端子支えリブ７４の根元とにわたる連続リブ７６が一体に形成されている。これら円形リブ７５及び連続リブ７６はカバー２６のねじ通孔２９回りの強度を向上させるとともに、前記根元への応力集中を防止している。そのため、電源端子台１５に必要な電線接続を行った後に、例えば前記反射板１７の取付け等に伴って電線が押された場合など、電線を介して電源端子台１５がこじられる力を受けることがあっても、それに伴うカバー２６の損傷を防止できる。
【００６８】
つまり、前記こじり力は、ボディ２５からそれに爪係合されてシャーシ１２に１本のねじで固定されているカバー２６に波及し、このカバー２６はねじ通孔２９を境にこじり力が作用した側と反対側が変形しようとする。しかし、その変形を円形リブ７５及び連続リブ７６による補強作用で抑制して、円形リブ７５及び連続リブ７６の根元への応力集中を防止できる。それにより前記両リブ７５、７６の根元でクラックの発生が防止されるので、カバー２６が損傷に至る恐れをなくすことができる。
【００６９】
図１５及び図１７に示すように電源線用の前記速結端子２２、２３は、基板部８１と、第１及び第２の電線受け部８２及び８３と、第１鎖錠片部８４と、第２鎖錠片部８５と、第３電線受け部８６と、一対の負荷線用鎖錠片８７とを有している。
【００７０】
第１及び第２の電線受け部８２及び８３は、基板部８１の長手方向の両辺から基板部８１の一面側に略直角に折り曲げて形成されており、その第２電線受け部８３の先端から第３電線受け部８６が基板部８１と反対側に折り曲げられている。第１鎖錠片部８４は前記両辺とは異なる基板部８１の他の両辺のうちの一方の辺から前記一面側に折り曲げられ、第２鎖錠片部８５は前記他の両辺のうちの他方の辺から前記一面側に折り曲げられている。
【００７１】
第１鎖錠片部８４は、基板部８１に連なった基部８４ａと、この基部８４ａの両側から互いに逆方向に斜め折りされて、その傾斜の先端が第１電線受け部８２又は第２電線受け部８３に近接して対向する鎖錠片８４ｂ、８４ｃとから形成されている。同様に、第２鎖錠片部８５も、基板部８１に連なった基部８５ａと、この基部８５ａの両側から互いに逆方向に斜め折りされて、その傾斜の先端が第１電線受け部８２又は第２電線受け部８３に近接して対向する鎖錠片８５ｂ、８５ｃとから形成されている。鎖錠片８４ｂ、８４ｃ及び鎖錠片８５ｂ、８５ｃはいずれも基部８４ａ又は８５ａを支点として弾性変形可能である。鎖錠片８４ｂ、８４ｃは図示しない電源線を主として機械的に抜け止めして第１又は第２の電線受け部８２、８３との間に電源線を挟持し、鎖錠片８５ｂ、８５ｃは前記電源線との電気的接続を図って第１又は第２の電線受け部８２、８３との間に電源線を挟持する。なお、図４、図１５、及び図１７中８１ａは基板部８１の斜状端面を示し、これら一対の斜状端面８１ａは鎖錠片８４ｂ、８４ｃの傾斜に略倣って設けられている。
【００７２】
第３電線受け部８６は、その先端部に第２電線受け部８３とほぼ平行であって前記基板部８１の他面側に向けて折り曲げられた第３鎖錠片８６ａを有している。この第３鎖錠片８６ａには前記一対の鎖錠片８７が斜めに切起こされている。
【００７３】
前記構成の一対の速結端子２２、２３は、前記第１端子収容室３２内に、この内部に設けられた各種のリブによって位置を決められて互いに平行に収容されている。
【００７４】
この収容状態においては、図４に示すように正極側の速結端子２２の鎖錠片８４ｂの先端部が第１電源線挿入孔４１に対向するとともに、鎖錠片８４ｃの先端部が第１送り電源線挿入孔４２に対向する。かつ、一対の鎖錠片８７の先端部が夫々負荷線用の一対の負荷線挿入孔６２に対向する（図９に一方の対向状態のみ示す）とともに、その近傍のリリース孔６４に対向する。同様に、図示しないが負極側の速結端子２３の鎖錠片８５ｂの先端部が第２電源線挿入孔４３に対向するとともに、鎖錠片８５ｃの先端部が第２送り電源線挿入孔４４に対向する。かつ、一対の鎖錠片８７の先端部が夫々負荷線用の一対の負荷線挿入孔６３に対向する（図９に一方の対向状態のみ示す）とともに、その近傍のリリース孔６４に対向する。又、両速結端子２２、２３の鎖錠片８４ｂ、８５ｂの先端と基部８４ａとの間の中間部分には、図４に示すように電源線用の一方の解除レバー４５の端子押し部４８の端子当接突起４８ａが夫々当接し、同様に両速結端子２２、２３の鎖錠片８４ｃ、８５ｃの先端と基部８４ａとの間の中間部分には、図示しないが電源線用の他方の解除レバー４６の端子押し部４８の端子当接突起４８ａが夫々当接する。又、両解除レバー４５、４６の摺動部４８ｂはカバー２６の当接部７１の先端部に所定の距離を置いて対向する。
【００７５】
両速結端子２２、２３は、それらに個別に対応するカバー２６の端子押さえリブ７３によってボディ２５の壁部３５方向に押付けられている。この場合、各部の寸法関係により、電源線用の一方の解除レバー４５は、両速結端子２２、２３の鎖錠片８４ｂ、８５ｂを介して壁部３５の表面側に押されて弾性変形されている。つまり、解除レバー４５は、速結端子２２、２３と組合わされる前の無負荷の自由状態では水平の姿勢であるが、電源端子台１５が組立てられた状態では、鎖錠片８４ｂ、８５ｂで付勢されて壁部３５の表面側に弾性変形されている。同様に、速結端子２２、２３と組合わされる前の無負荷の自由状態では水平の姿勢である電源線用の他方の解除レバー４６も、電源端子台１５が組立てられた状態では、両速結端子２２、２３の鎖錠片８４ｃ、８５ｃを介して押されて付勢されていて、壁部３５の表面側に弾性変形されている。
【００７６】
図１６等に示すようにアース線用の前記速結端子２４は、基板部９１と、第１及び第２の電線受け部９２及び９３と、一つの鎖錠片部９４と、ねじ受け舌片９５とを有している。第１及び第２の電線受け部９２及び９３は、基板部９１の長手方向の両辺から基板部９１の一面側に略直角に折り曲げて形成されている。鎖錠片部９４は前記両辺とは異なる基板部９１の他の両辺のうちの一方の辺から前記一面側に折り曲げられていて、ねじ受け舌片９５は基板部９１の他の両辺のうちの他方の辺から前記一面側とは反対側に折り曲げられている。このねじ受け舌片９５には前記図示しないねじが螺合されるねじ孔９５ａが開けられている。
【００７７】
鎖錠片部９４は、基板部９１に連なった基部９４ａと、この基部９４ａの両側から互いに逆方向に斜め折りされて、その傾斜の先端が第１電線受け部９２又は第２電線受け部９３に近接して対向する鎖錠片９４ｂ、９４ｃとから形成されている。鎖錠片９４ｂ、９４ｃは図示しないアース線の機械的に抜け止めと電気的接続を担って第１又は第２の電線受け部９２、９３との間にアース線を挟持する。
【００７８】
前記構成の速結端子２４は、そのねじ受け舌片９５をボディ２５の開口側に位置させた姿勢で前記第２端子収容室３３内に、この内部に設けられた各種のリブによって位置を決められて収容されている。
【００７９】
この収容状態においては、図６に示すように鎖錠片９４ｂの先端部が電線挿入孔５１に対向するとともに、鎖錠片９４ｃの先端部が電線挿入孔５２に対向し、かつ、これら一対の鎖錠片９４ｂ、９４ｃの裏面に所定の間隔を置いて端子支えリブ７４が対向する。又、鎖錠片９４ｂ、９４ｃの先端と基部９４ａとの間の中間部分には、アース用の解除レバー５３、５４の端子押し部５６の端子当接突起５６ａが夫々当接する。又、図７に示すように解除レバー５３、５４の凸部５７には、カバー２６のストッパ突起７２が夫々所定の間隔を置いて対向する。
【００８０】
速結端子２４は、それに対応してカバー２６の裏面に一体に形成した端子支えリブ７７によってボディ２５の壁部３５方向に押付けられている。この場合、各部の寸法関係により、速結端子２４と組合わされる前の無負荷の自由状態では水平の姿勢であるアース線用の解除レバー５３、５４は、電源端子台１５が組立てられた状態では、速結端子２４の鎖錠片９４ｂ、９４ｃを介して押されて付勢されていて、壁部３５の表面側に弾性変形されている。
【００８１】
前記構成の電源端子台１５の第１、第２の電源線挿入孔４１、４２の夫々には天井裏から引込まれたＦケーブル等の電源線の正極側又は負極側の芯線が挿入され、これらの芯線は対応する速結端子２２、２３に個別に接続される。又、送り用の電源線が必要な場合には、この電源線の正極側又は負極側の芯線が第１、第２の送り電源線挿入孔４３、４４に挿入され、これらの芯線は対応する速結端子２２、２３に個別に接続される。
【００８２】
これらの場合、一方の芯線は、速結端子２２の第１鎖錠片部８４の鎖錠片８４ｂを弾性変形させながらこれと第１電線受け部８２との間を通過した後、更に第２鎖錠片部８５の鎖錠片８５ｂを弾性変形させながらこれと第１電線受け部８２との間を通過して、これら鎖錠片８４ｂ、８５ｂと第１電線受け部８２との間に挟着される。同様に、他方の芯線も、速結端子２３の第１鎖錠片部８４の鎖錠片８４ｃを弾性変形させながらこれと第２電線受け部８３との間を通過した後、更に第２鎖錠片部８５の鎖錠片８５ｃを弾性変形させながらこれと第２電線受け部８３との間を通過して、これら鎖錠片８４ｃ、８５ｃと第２電線受け部８３との間に挟着される。
【００８３】
又、電源端子台１５の電線挿入孔５１には供給用のアース線の芯線が挿入されるとともに、アースの送りが必要な場合には、他の電線挿入孔５２に送り用アース線の芯線が挿入されて、これらは速結端子２４に接続される。この場合、供給用のアース線の芯線は、速結端子２４の鎖錠片９４ｂを弾性変形させながらこれと第１電線受け部９２との間を通過して、これらの間に挟着され、同様に送り用アース線の芯線は、速結端子２４の鎖錠片９４ｃを弾性変形させながらこれと第２電線受け部９３との間を通過して、これらの間に挟着される。
【００８４】
ところで、以上のように電源端子台１５に速結接続された電線を必要により外すには、その対象が供給用の電源線である場合には、解除レバー４５をドライバー等の工具で押し込みながら、この電源線を引き抜けばよく、同様に送り用電源線である場合には、解除レバー４６をドライバー等の工具で押し込みながら、この電源線を引き抜けばよい。又、外す線が供給用のアース線である場合には、解除レバー５３をドライバー等の工具で押し込みながら、このアース線を引き抜けばよく、同様に送り用アース線である場合には、解除レバー５４をドライバー等の工具で押し込みながら、このアース線を引き抜けばよい。
【００８５】
このように電源端子台１５に接続された電線の前記接続を解除するには、供給側の電源線についてはドライバー等リリース工具の先が尖った先端部を解除レバー４５の端子押し部４８に当てて押し込みながら前記供給側の電源線を引張ればよく、同様に送り側の電源線についても前記工具の先端部を解除レバー４６の端子押し部４８に当てて押し込みながら前記送り側の電源線を引張ればよい。又、供給側のアース線については前記工具の先端部を解除レバー５３の端子押し部５６に当てて押し込みながら前記供給側のアース線を引張ればよく、同様に送り側のアース線についても前記工具の先端部を解除レバー５４の端子押し部５６に当てて押し込みながら前記送り側のアース線を引張ればよい。
【００８６】
前記押し込み操作で電源用の解除レバー４５がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｂを個別に押してカバー２６側に弾性変形させながら、この鎖錠片８４ｂと第１電線受け部８２との間を開くので、供給側電源線を引抜くことができる。同様に、前記押し込み操作で電源用の他方の解除レバー４６がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｃを個別に押して第２鎖錠片８５側に弾性変形させながら、この鎖錠片８４ｃと第２電線受け部８３との間を開くので、送り側電源線を引抜くことができる。
【００８７】
又、前記押し込み操作でアース用の解除レバー５３がそのアーム部５５の根元を支点に弾性変形しながら押し込まれることにより、端子押し部５６の裏面に突出する単一の端子当接突起５６ａが、アース線用の速結端子２４の斜めの鎖錠片９４ｂを押してカバー２６側に弾性変形させながら、この鎖錠片９４ｂと第１電線受け部９２との間を開くので、供給側アース線を引抜くことができる。同様に、前記押し込み操作でアース用の解除レバー５４がそのアーム部５５の根元を支点に弾性変形しながら押し込まれることにより、端子押し部５６の裏面に突出する単一の端子当接突起５６ａが、アース線用の速結端子２４の斜めの鎖錠片９４ｃを押してカバー２６側に弾性変形させながら、この鎖錠片９４ｃと第２電線受け部９３との間を開くので、送り側アース線を引抜くことができる。
【００８８】
これらの場合に、端子押し部４８には工具先端が嵌入する凹部からなる押し込み工具受け部４９が設けられ、同様の端子押し部５６にも工具先端が嵌入する凹部からなる押し込み工具受け部５８が設けられているので、前記工具を当てる位置が容易に定まるとともに、その位置から工具の先端が滑り動くことが防止されるので、容易に端子押し部４８又は５６を押し込むことができ、作業性がよい。
【００８９】
前記のように接続された電線を解除するにあたって、端子押し部４８の端子当接突起４８ａは、鎖錠片８４ｂ又は８５ｂの先端部と基部８４ａ又は８５ａとの間に当接して、これら鎖錠片８４ｂ又は８５ｂを押圧し弾性変形させるため、解除レバー４５、４６を間に置いてその両側に各電源線挿入孔４１〜４４を図３に示すように振分けて設けることができる。
【００９０】
そのため、正極用速結端子２２の第１、第２の鎖錠片部８４、８５の長さ、及び負極用速結端子２３の第１、第２の鎖錠片部８４、８５の長さを従来と同じとした場合の比較において、これら鎖錠片部８４、８５の基部８４ａ、８５ａと鎖錠片８４ｂ、８４ｃ、８５ｂ、８５ｃの先端部との間に対応する位置で電源線が挿入して接続されることがなくなって、正極の速結端子２２の電線受け部８２、８３間の間隔、及び負極の速結端子２３の電線受け部８２、８３間の間隔を広くできる。それに伴い電源線が挿入される正極の電線挿入孔４１、４２同士の間隔Ｈ（図３及び図４参照）、及び負極の電線挿入孔４３、４４同士の間隔を広くできる。同様の理由により、アース線が挿入される電線挿入孔５１、５２同士の間隔Ｉ（図３及び図６参照）を広くできる。したがって、これら電線挿入孔４１〜４４、５１、５２に対して電線を着脱する際に、既に挿入接続されている電線が邪魔になることが少なくなり、電線を挿脱する作業性を向上できる。
【００９１】
更に、前記のように鎖錠片８４ｂ、８４ｃ、８５ｂ、８５ｃの長手方向中間部を解除レバー４５又は４６或は５３若しくは５４の端子押し部４８又は５６で押すから、言い換えれば、鎖錠片８４ｂ、８４ｃ、８５ｂ、８５ｃをその先端部よりも基部８４ａ又は８５ａ若しくは９４ａ側で押すから、従来のように鎖錠片の先端部を押して電線解除をする場合よりも、電線解除を行うのに必要とされる解除レバー４５、４６、５３、５４の解除ストロークを小さくできる。したがって、解除レバー４５、４６、５３、５４が過度に撓むことがなくなり、その変形・破損を防止できる。
【００９２】
しかも、鎖錠片８４ｂ、８４ｃ、８５ｂ、８５ｃの中間部を端子押し部４８又は５６で押すから、各速結端子２２〜２４の鎖錠片８４ｂ、８４ｃ、８５ｂ、８５ｃには、従来のように弾性変形をしないレバー受け凸部を設ける必要がない。そのため、鎖錠片８４ｂ、８４ｃ、８５ｂ、８５ｃの構成が簡単であり、それに伴い複雑な曲げを要することなく容易に速結端子２２〜２４を曲げ成形することができ、そのコストを低減でき、ひいては端子台のコストダウンにも寄与できる。
【００９３】
又、電源端子台１５への既述の電線着脱において、各鎖錠片８４ｂ、８４ｃ、８５ｂ、８５ｃはその長手方向の一部を占めて弾性変形しない部分を有していないから、全長において撓むことができる。よって、各鎖錠片８４ｂ、８４ｃ、８５ｂ、８５ｃの弾性変形が容易に行われるので、前記電線挿入時の抵抗を軽減できるとともに、電線解除時の各解除レバー４５、４６、５３、５４の抵抗を軽減できるので、電線の着脱作業を容易に行わせることができる。
【００９４】
又、前記構成では、電源端子台１５のボディ２５の壁部３５に、電源線用の各解除レバー４５、４６を、そのアーム部４７を互いに平行にして点対称に設けたから、これら解除レバー４５、４６が電源の供給側の電線挿入孔４１、４２と電源送り側の電線挿入孔４３、４との間の限られた面積内に設けられるにも拘らず、互いに相手に制約されることなく電線挿入孔が開けられたボディの壁部の限られた面積内において長くとることができ、その上、アーム部４７を斜めにしたから、これらアーム部４７を斜めになった分に応じて更に長くできる。そのため、接続された電線を解除する際におけるアーム部４７が撓み易くなって、その変形・破損の恐れを少なくできる。
【００９５】
同様に、壁部３５のアース用の電線挿入孔５１、５２間の限られた面積内に設けられるアース用の解除レバー５３、５４についても、それが平行ではなく線対称に設けられているにも拘らず、それらのアーム部５５がほぼくの字形状をなしているとともに、これら一対のアーム部５５がほぼＵ字形状をなして並ぶように両解除レバー５３、５４を、そのアーム部５５の根元を中心に対称に設けたことにより、その長さを長くとることができる。そのため、接続されたアース線を解除する際におけるアーム部５５が撓み易くなって、その変形・破損の恐れを少なくできる。
【００９６】
又、正負両極の速結端子２２、２３に跨る一対の解除レバー４５、４６の端子押し部４８とアーム部４７とがつながった部分に設けられた押し込み工具受け部４９を、異極の電線挿入孔４１、４３間の中央部又は電線挿入孔４２、４４間の中央部に対して横並びの位置に設けたから、前記受け部４９に押し込み工具を当て端子押し部４８を押して電線解除をする際に、端子押し部４８が跨っている異曲の速結端子２２、２３の鎖錠片に作用する力がバランスし易い。そのため、アーム部４７が斜めであっても、解除レバー４５、４６がねじれることを少なくできる。よって、これら解除レバー４５、４６の特に根元部での変形・破損の恐れを少なくできるとともに、正負両極の速結端子２２、２３の対応する鎖錠片に対してほぼ均等に力をかけて、接続された異極の電源線の解除を容易かつ確実に行わせることができる。
【００９７】
ところで、正負両極の速結端子２２、２３の隣接する鎖錠片８４ｂ、８５ｂ又は８４ｃ、８５ｃに跨ってこれらに端子当接突起４８ａを当接している解除レバー４５、４６の端子押し部４８は、電源線を解除する際に速結端子２２、２３の鎖錠片８４ｂ、８５ｂ又は８４ｃ、８５ｃの傾斜に沿って滑るように変形しようとする。しかし、端子押し部４８の裏面には速結端子２２、２３間に位置してカバー２６方向に突出する摺動部４８ｂが設けられているとともに、この摺動部４８ｂに対向してカバー２６の裏面には当接部７１が突設されているので、前記変形を防止できる。
【００９８】
すなわち、既述のように端子押し部４８が押し込まれた際に、それが或る程度進行すると、摺動部４８ｂが当接部７１の傾斜したガイド面７１ａに接触する。このガイド面７１ａはアーム部４７とは反対側から摺動部４８ｂに係合して、この摺動部４８ｂを支持する。こうした当接部７１のストッパ作用により、端子押し部４８がアーム部４７の先端部を支点に変形することを防止できる。したがって、変形による解除レバー４５、４６の押し込み操作力の損失がなくなり、操作力を的確に鎖錠片８４ｂ、８５ｂ又は８４ｃ、８５ｃに及ぼして、必要以上に解除レバー４５、４６を押し込まなくても確実に電線を解放させることができるとともに、端子押し部４８の変形に伴う破損も防止できる。
【００９９】
又、アーム部５５がくの字形をなしたアース用の解除レバー５３、５４には、端子押し部５６とは逆側に突出する凸部５７が設けられ、かつ、それらの裏面に対向してカバー２６の裏面にはストッパ突起７２が突設されている。そのため、既述のようにアース線の接続を解除する場合、解除レバー５３、５４は、その長手方向中間部の押し込み工具受け５８を押されて、ある程度の押し込みが進行した時点で、凸部５７がストッパ突起７２に当って支持される。
【０１００】
その結果、アース用の鎖錠片９４ｂ又は９４ｃに先端部裏面の端子当接突起５６ａ当っている端子押し部５６と、裏側からストッパ突起７２で支持された凸部５７との間が押されることにより、押し込み力がストッパ突起７２を支点とするてこ作用で端子押し部５６に作用して、この端子押し部５６がそれに接している鎖錠片９４ｂ又は９４ｃをより押し下げるように傾けられる。従って、少ない押し込み量でアース線を解除できるとともに、解除レバー５３、５４が不必要に押され過度に撓んで変形・破損する恐れをなくすことができる。
【０１０１】
又、前記構成の電源端子台１５においては、その組立てに伴い、カバー２６の各端子押さえリブ７３が対応する電源用速結端子２２、２３の第２鎖錠片部８５に当接して、これら速結端子２２、２３全体をボディ２５の壁部３５側に寄せるので、端子押し部４８とこれに対応する速結端子２２、２３の各鎖錠片８４ｂ、８４ｃ、及び８５ｂ、８５ｃとが夫々当接するだけではなく、これら鎖錠片８４ｂ、８４ｃ、８５ｂ、８５ｃにより解除レバー４５、４６を、その自由状態よりも壁部３５の表面側に付勢し、弾性変形させた状態に保持されている。同様に、電源端子台１５の組立てに伴い、カバー２６の端子支えリブ７７が対応するアース用速結端子２４に当接して、この端子２４全体を壁部３５側に寄せるので、端子押し部５６とこれに対応する速結端子２４の各鎖錠片９４ｂ、９４ｃとが夫々当接するだけではなく、これら鎖錠片９４ｂ、９４ｃにより解除レバー５３、５４を、その自由状態よりも壁部３５の表面側に付勢し、弾性変形させた状態に保持されている。
【０１０２】
このように各速結端子２２〜２４で解除レバー４５、４６、５３、５４を押して予めボディ２５の壁部３５表面側に弾性変形させているから、電線の着脱に伴う解除レバー４５、４６、５３、５４の動きを、これらのレバー４５、４６、５３、５４の自由状態での位置を基準とした場合、この基準位置の両側に振分けることができる。そのため、前記基準の位置に対する電線解除時の解除レバー４５、４６、５３、５４の変形量を少なくできる。したがって、解除レバー４５、４６、５３、５４の過度な変形及びそれに伴う破損の恐れを少なくできる。しかも、電線接続状態では、解除レバー４５、４６、５３、５４に個別に接触している各鎖錠片の変位により解除レバー４５、４６、５３、５４が自由状態と同じ位置までボディ２５の壁部３５の表面に対してより下がるので、これらレバー４５、４６、５３、５４の高さ位置を目視することで、電線の挿入による接続完了を容易に知ることができる。
【０１０３】
図１８〜図２０は本発明の第２実施形態を示している。この第２実施形態は、基本的に第１実施形態と同様であるので、第１実施形態と同じ構成については第１実施形態と同一符号を付してその説明を省略し、以下、第１実施形態とは異なる構成について説明する。この第２実施形態が第１実施形態とは異なる構成は、正負両極の速結端子に個別に対応する電源線用の一対の解除レバーにおける端子押し部の構成である。
【０１０４】
すなわち、両解除レバー４５、４６の端子押し部４８の表面に設けられた押し込み工具受け部４９は、プラスドライバーの先端部が嵌入し得る第１凹部４９ａと、これを直径方向に横切る第２凹部４９ｂとからなり、第２凹部４９ｂはマイナスドライバーの刃先が嵌入し得る長さに形成されている。したがって、端子押し部４８はマイナスドライバーで押され得る長さを有している。
【０１０５】
更に、両解除レバー４５、４６の端子押し部４８の表面には、一対のストッパ突起４８ｃが一体に突設されている。これらストッパ突起４８ｃは第２凹部４９ｂと略平行に延びているとともに、図２０で代表して示されるように解除レバー４５、４６に対応する正負両極用の速結端子２２、２３が有した鎖錠片８４ｂ、８４ｃの基部８４ａ側に寄せて突設されている。しかも、これらストッパ突起４８ｃはその先端から根元に向けて次第に第２凹部４９ｂ側に近づくように傾斜する斜面を有して断面三角形状に形成されている。
【０１０６】
ストッパ突起４８ｃの斜面は第２凹部４９ｂの縁に直接連続させることができ、又、ストッパ突起４８ｃは斜面を有しないリブで形成することもでき、更に、ストッパ突起４８ｃは複数の小突起の列によって形成してもよい。又、以上説明した構成はアース線用の解除レバーにも適用することができる。なお、以上説明した点以外の構成は、図１８〜図２０に図示されない構成を含めて前記第１実施形態と同じである。
【０１０７】
この第２実施形態の電源端子台１５は、第１実施形態で説明した作用効果に加えて、端子押し部４８を適正に押すことができ、しかも、活線状態（照明器具の点灯状態）下での電線の引抜き作業時に作業者が感電するおそれを防止できる点で優れている。
【０１０８】
詳しくは、マイナスドライバーの刃先で電源線用の解除レバー４５、４６の端子押し部４８を押して、電線挿入孔４１〜４３に誤って挿入された電線を引抜く際に、図２０中矢印方向に前記刃先が差込まれても、端子押し部４８上において前記刃先が、前記のように押される解除レバー４５、４６に対応する電源線用の速結端子２２、２３の鎖錠片８４ｂ、８４ｃの基部８４ａ側に滑り動くことを、ストッパ突起４８ｃで妨げて、前記刃先で端子押し部４８を適正に押すことができる。しかも、本実施形態では、ストッパ突起４８ｃが斜面を有しているから、前記刃先を容易に端子押し部４８の第２凹部４９ｂに導き入れることができるので、なお更適正位置で端子押し部４８を押し込むことができる。
【０１０９】
そして、以上のように端子押し部４８表面での前記刃先の滑り動きをストッパ突起４８ｃで妨げるから、それに伴って前記刃先が端子押し部４８の周囲の隙間ｇを通って筐体２１内に入り込むことが防止される。
【０１１０】
つまり、既述のストッパ突起４８ｃがない構成において端子押し部４８が過度に押し込まれて、筐体２１の壁部３５の厚み分以上に端子押し部４８が過度に変位されると、この端子押し部４８の表面が筐体２１の内側に位置される。この状態でマイナスドライバーの刃先が滑り動くことがあると、この刃先が、筐体２１内に誤って差込まれるとともに、それに伴い速結端子２２、２３の鎖錠片８４ｂ、８４ｃの基部８４ａに接触するおそれがある。そのため、作業環境を明るくするために活線状態（照明器具の点灯状態）下での作業では、通電されている速結端子２２、２３にマイナスドライバーの刃先部が既述のように接することに伴い、誤って作業者が感電するおそれが考えられるとともに、電線解除後にマイナスドライバーを引抜く際に端子押し部４８が邪魔になり易くなる。
【０１１１】
しかし、本実施形態では端子押し部４８の表面にストッパ突起４８ｃを突設したから、既述のように端子押し部４８が過度に変位されても、ギャップ側面ｇ１に常に重なるように近接して対向位置されているストッパ突起４８ｃが邪魔となって、マイナスドライバーの刃先部が筐体２１内に挿入され前記基部８４ａに接触することを防止できる。このようにストッパ突起４８ｃによる絶縁距離の確保で、活線状態下での電線解除作業を安全かつ容易に実施できる。
【０１１２】
なお、マイナスドライバーの刃先部が端子押し部４８を過度に押して前記ストッパ突起４８ｃとは反対側に滑り動いた場合、前記刃先部が筐体２１内に差込まれることがある。しかし、この差し込み部分に対して鎖錠片８４ｂ、８４ｃの基部８４ａは逆方向に離れているとともに、鎖錠片８４ｂ、８４ｃは傾斜して離れているから、前記差込みに拘らず前記刃先部が電源線用の速結端子２２、２３に接触することはない。
【０１１３】
図２１〜図２３は本発明の第３実施形態を示している。この第３実施形態は、基本的に第１実施形態と同様であるので、第１実施形態と同じ構成については第１実施形態と同一符号を付してその説明を省略し、以下、第１実施形態とは異なる構成について説明する。この第３実施形態が第１実施形態とは異なる構成は、正負両極の速結端子に個別に対応する電源線用の一対の解除レバーにおける端子押し部の構成であり、又、アース用の電線挿入孔、アース線解除レバー、及びアース用速結端子を省略した点である。
【０１１４】
この第３実施形態において、電源線用の両解除レバー４５、４６の端子押し部４８はマイナスドライバーで押され得る長さを有している。そして、端子押し部４８の裏面にカバー２６に向けて一体に突設されているとともに電源線用の正極及び負極の速結端子２２、２３間に配置されている端子当接突起４８ａの幅方向両側面には、摺動部４８ｄ、４８ｅが夫々一体に設けられている。そして、これら一対の摺動部４８ｄ、４８ｅは、図２１に示されるように相対向する速結端子２２、２３に摺動可能に沿わせるように係合されている。詳しくは、一方の摺動部４８ｄは速結端子２２の速結端子２３と対向する面に摺動可能に接触されているとともに、他方の摺動部４８ｅは速結端子２３の速結端子２２と対向する端面に摺動可能に接触されている。なお、以上説明した点以外の構成は、図２１〜図２３に図示されない構成を含めて前記第１実施形態と同じである。
【０１１５】
この第３実施形態の電源端子台１５は、第１実施形態で説明した作用効果に加えて、活線状態（照明器具の点灯状態）下での電線の引抜き作業時に作業者が感電するおそれを防止できる点で優れている。
【０１１６】
詳しくは、マイナスドライバーの刃先で電源線用の解除レバー２２、２３の端子押し部４８を押して、電線挿入孔４１〜４４に誤って挿入されている電線を引抜く際に、適正な幅よりも短い幅の刃先を有したマイナスドライバーで、端子押し部４８がその一端側に偏って押し込まれることがあり、この場合に解除レバー４５、４６はその押し込み端側が他端側に比して下がる方向に捻じれようとする。
【０１１７】
しかし、端子押し部４８の裏面に突設された一対の摺動部４８ｄ、４８ｅが、速結端子２２、２３の相対向する面に摺動可能に接しているから、偏った前記押し込み側の速結端子２２又は２３をストッパとして端子押し部４８の前記捻じれが防止されるとともに、両速結端子２２、２３にこれらをガイドとして一対の摺動部４８ｄ、４８ｅが摺動するので、既述のように偏って電線押し部４８が押し込まれても、その端子押し部４８を真っ直ぐに押し込むことができる。
【０１１８】
それに伴い前記ドライバーの幅の狭い刃先が筐体２１内に誤って入り込んで、押されている解除レバー４５又は４６に対応する速結端子２２又は２３に接する恐れがなくなる。詳しくは、解除レバー４５、４６が捻じれを伴いながら過度に押し込まれて、速結端子２２又は２３の基板部８１における鎖錠片８４ｂ、８４ｃの傾斜に略倣っている斜状端面８１ａ（図４、図１５、及び図１７参照）に、前記ドライバーの刃先が接する恐れがなくなる。このように相対向する速結端子２２、２３を利用して解除レバー４５、４６の捻じれ止めを行うことによって、前記刃先と速結端子２２、２３の前記斜状端面８１ａとの間の絶縁距離を確保できるので、活線状態下での電線解除作業を安全かつ容易に実施できる。
【０１１９】
図２４及び図２５は本発明の第４実施形態を示している。この第４実施形態は、基本的に第１実施形態と同様であるので、第１実施形態と同じ構成については第１実施形態と同一符号を付してその説明を省略し、以下、第１実施形態とは異なる構成について説明する。この第４実施形態が第１実施形態とは異なる構成は、正負両極の速結端子に個別に対応する電源線用の一対の解除レバーの構成であり、又、アース用の電線挿入孔、アース線解除レバー、及びアース用速結端子を省略した点である。
【０１２０】
この第４実施形態において電源線用の両解除レバー４５、４６は、ボディ２５の壁部３５の表面から突出したり凹んだりすることなく面一的に設けられたアーム部４７と、このアーム部４７の先端に一体に形成されて、壁部３５の表面から凹むようにカバー２６側に後退して設けられた端子押し部４８とから形成されている。なお、以上説明した点以外の構成は、図２４及び図２５に図示されない構成を含めて前記第１実施形態と同じであり、又、以上説明した構成はアース線用の解除レバーにも適用することができる。
【０１２１】
この第４実施形態の電源端子台１５は、第１実施形態で説明した作用効果に加えて、解除レバー４５、４６を適正に押すことができる点で優れている。
【０１２２】
詳しくは、解除レバー４５、４６のアーム部４７が筐体２１の壁部３５に対して突出したり凹んだりしておらず壁部３５の表面と略面一であるとともに、端子押し部４８のみが壁部３５の表面に対して凹んでいるので、手探り状態でも端子押し部４８の位置をアーム部４７の位置とは明確に区別して知覚させることができる。
【０１２３】
そのため、ドライバーの刃先で電線解除を必要とする解除レバー４５又は４６の端子押し部４８を押して、電線挿入孔４１〜４４に誤挿入されている電線を引抜く際に、前記刃先で誤って解除レバー４５又は４６のアーム部４７を押して折損に至らしめる恐れを抑制できるとともに、端子押し部４８を確実に前記刃先で押し込むことができるに伴い、この端子押し部４８を介して対応する鎖錠片８４ｂ、８４ｃ（図４及び図１５等参照）を確実に弾性変形させて、誤挿入されている電線を確実に引抜くことができる。
【０１２４】
なお、解除レバー４５又は４６のアーム部４７が壁部３５の表面に対して凹んでいる場合には、手探りで端子押し部４８の位置を確認する場合に、この押し部４８と同様に凹んでいるアーム部４７が誤って認識される恐れがあり、その結果アーム部４７が過度にドライバー等の工具で押し込まれて、破損に至る恐れが考えられる。なぜなら、端子押し部４８はその裏側から速結端子２２又は２３の鎖錠片８４ｂ、８４ｃで押されており、この付勢力はかなり強いため、アーム部４７を押しても端子押し部４８は、電線解除ができる程度には変位することができない。そのため、勢いアーム部４７がますます過度に押されることになり、その結果として、アーム部４７が破損する可能性が高められる。しかし、こうした好ましくない事態は本実施形態では、既述のように回避することができ、容易かつ確実に接続された電線を解除できる。
【０１２５】
【発明の効果】
本発明は、以上説明したような形態で実施され、以下に記載されるような効果を奏する。
【０１２６】
請求項１，２に記載の発明によれば、筐体に内蔵された速結端子に電線を挿入させるために前記筐体のボディに開けられた電線挿入孔同士の間隔を広くできるから、電線の着脱作業性を向上できるとともに、接続された電線の解除をするためにボディに一体に形成された解除レバーの解除ストロークを小さくできるから、解除レバーの変形・破損を防止でき、しかも、速結端子の鎖錠片の構成が簡単で安価であるから、コストを低減できる電源端子台を提供できる。
【０１２７】
請求項３の発明によれば、一対の電源線解除レバーのアーム部を、電線挿入孔が開けられたボディの壁部の限られた面積内において長くとることができるので、接続された電線を解除する際にアーム部が撓み易くなって、解除レバーの変形・破損の恐れを少なくできる。
【０１２８】
請求項４の発明によれば、電線解除をする際に電源線解除レバーがねじれることが防止されるので、このレバーの特に根元部での変形・破損の恐れを少なくできるとともに、正負両極の速結端子の対応する鎖錠片に対してほぼ均等に力をかけて、接続された異極の電源線の解除を容易かつ確実に行わせることができる。
【０１２９】
請求項５の発明によれば、電線解除をする際に、解除レバーの押し込み位置を明確に知ることができるとともに、押し込み工具の滑りが防止されて電線解除の作業性を向上でき、特に、電源線解除レバーにおいては、そのねじれが防止されて、その変形・破損の恐れが少なくなるとともに、正負両極の速結端子の対応する鎖錠片に対してほぼ均等に力をかけて、接続された異極の電源線の解除を容易かつ確実に行わせることができる。
【０１３０】
請求項６の発明によれば、解除レバーの自由状態での位置を基準とした場合、電線解除時における前記基準位置に対する解除レバーの変形量を少なくできるから、この解除レバーの変形・破損の恐れを少なくできるとともに、電線接続状態では解除レバーの位置がボディ表面に対して変るので、このレバーの高さ位置を目視することで、電線の挿入による接続完了を容易に知ることができる。
【０１３１】
請求項７の発明によれば、接続された電源線を解除する際に電源線解除レバーの端子押し部が正負両極の速結端子の鎖錠片の傾斜に沿って滑るように変形することを、端子押し部の係合突起がカバーの当接部に当接することにより防止するから、前記変形による電源線解除レバーの操作力の損失がなくなり、操作力を的確に鎖錠片に及ぼして、過度に電源線解除レバーを押し込まなくても確実に電線を解放させることができるとともに、端子押し部の変形・破損も防止できる。
【０１３２】
請求項８の発明によれば、アース線解除レバーに設けた凸部とカバーに設けたストッパ部との係合により、これら両凸部を支点とするてこ作用を得て端子押し部でアース用速結端子の鎖錠片を押すことができるから、少ない押し込み量でアース線を解除できるとともに、アース線解除レバーが不必要に押され過度に撓んで変形・破損する恐れをなくすことができる。
【０１３３】
請求項９の発明によれば、一対のアース線解除レバーの長さを、アース用の電線挿入孔等が開けられたボディの壁部の限られた面積内で長くとることができるので、接続されたアース線を解除する際にアーム部が撓み易くなって、その変形・破損の恐れを少なくできる。
【０１３４】
請求項１０の発明によれば、筐体がこじられた場合にねじ孔を中心とするカバーの撓みを抑制する連続リブをカバーの裏面に設けたから、このカバーの裏面に突設されている端子支え部のうちねじ孔側の端子支え部の根元に、カバーの撓みに伴う負荷が集中することが防止され、前記根元を中心としてカバーにクラックが生じる恐れをなくすことができる。
【０１３５】
請求項１１の発明によれば、電源線解除レバーの端子押し部の適正位置をマイナスドライバーで押し込むことができるとともに、誤挿入されている電線を活線状態下で引抜く際に、マイナスドライバーの刃先が筐体内に入り込んで電源線速結端子に接する恐れがなく、作業者が感電するおそれを防止できる。
【０１３６】
請求項１２の発明によれば、電源線解除レバーの端子押し部がその一端側に偏って押し込まれた場合に、解除レバーの捻じれを防止しつつその端子押し部を真っ直ぐに押し込ませることができるとともに、誤挿入されている電線を活線状態下で引抜く際に、マイナスドライバーの刃先が筐体内に入り込んで電源線速結端子に接する恐れがなく、作業者が感電するおそれを防止できる。
【０１３７】
請求項１３の発明によれば、電線挿入孔に誤挿入されている電線を引抜く際に、解除操作を必要とする解除レバーの端子押し部の位置をアーム部の位置とは明確に区別して知覚させることができるため、ドライバーの刃先で誤ってアーム部を押して折損に至らしめる恐れを抑制止できるとともに、確実に端子押し部を押し込ませて誤挿入されている電線を引抜くことができる。
【０１３８】
請求項１４の発明によれば、電線の接続作業性を向上できるとともに、接続された電線の解除をする解除レバーの変形・破損を防止でき、しかも安価な電源端子台を備えるので、天井等への器具の取付け施工性に優れる高品質な照明器具を提供できる。
【図面の簡単な説明】
【図１】（Ａ）は本発明の第１実施形態に係る電源端子台を備えた蛍光灯照明器具を一部切欠いて示す斜視図。
（Ｂ）は図１（Ａ）の照明器具の断面図。
【図２】本発明の一実施形態に係る電源端子台を示す斜視図。
【図３】（Ａ）は図２の電源端子台を示す正面図。
（Ｂ）は図２中矢印Ｚ方向から見て示す電源端子台の側面図。
【図４】図３（Ａ）中Ａ−Ａ線に沿って示す電源端子台の断面図。
【図５】図３（Ａ）中Ｂ−Ｂ線に沿って示す電源端子台の断面図。
【図６】図３（Ａ）中Ｃ−Ｃ線に沿って示す電源端子台の断面図。
【図７】図３（Ａ）中Ｄ−Ｄ線に沿って示す電源端子台の断面図。
【図８】図３（Ａ）中Ｅ−Ｅ線に沿って示す電源端子台の断面図。
【図９】図３（Ｂ）中Ｆ−Ｆ線に沿って示す電源端子台の断面図。
【図１０】図２の電源端子台が備えるボディの裏面図。
【図１１】図１０中Ｇ−Ｇ線に沿って示すボディの断面図。
【図１２】図２の電源端子台が備えるカバーを示す斜視図。
【図１３】図２の電源端子台が備えるカバーの裏面図。
【図１４】図１３中Ｈ−Ｈ線に沿って示すカバーの断面図。
【図１５】図２の電源端子台が備える電源線用の速結端子を示す斜視図。
【図１６】図２の電源端子台が備えるアース線用の速結端子を示す斜視図。
【図１７】（Ａ）は図１５の速結端子の平面図。
（Ｂ）は図１５の速結端子の側面図。
（Ｃ）は図１５の速結端子の正面図。
（Ｄ）は図１５の速結端子の背面図。
（Ｅ）は図１５の速結端子の下面図。
【図１８】本発明の第２実施形態に係る電源端子台を示す正面図。
【図１９】図１８の電源端子台の一部を拡大して示す斜視図。
【図２０】図１８中Ｊ−Ｊ線に沿って示す電源端子台の断面図。
【図２１】本発明の第３実施形態に係る電源端子台を示す断面図。
【図２２】図２１の電源端子台のボディを速結端子とともに示す裏面図。
【図２３】図２１の電源端子台のボディ単体を示す裏面図。
【図２４】本発明の第４実施形態に係る電源端子台を示す斜視図。
【図２５】図２４の電源端子台を示す前記図５相当の断面図。
【図２６】（Ａ）は従来の電源端子台が備える速結端子を示す平面図。
（Ｂ）は電線等とともに図２６（Ａ）の速結端子を示す正面図。
（Ｃ）は図２６（Ａ）の速結端子を示す側面図。
【符号の説明】
１１…照明器具
１２…シャーシ
１３…ランプソケット
１４…蛍光ランプ
１５…電源端子台
１６…電源線引込み孔
２１…筐体
２２…速結端子（電源線正極用）
２３…速結端子（電源線負極用）
２４…速結端子（アース用）
２５…ボディ
２６…カバー
２９…ねじ通孔
３５…ボディの壁部
３５ａ…電源線挿入面部
３５ｂ…アース線挿入面部
４１…電源供給側電線挿入孔（第１電源線挿入孔）
４２…電源送り側電線挿入孔（第１送り電源線挿入孔）
４３…電源供給側電線挿入孔（第２電源線挿入孔）
４４…電源送り側電線挿入孔（第２送り電源線挿入孔）
４５、４６…電源線解除レバー
４７…アーム部
４８…電源線解除レバーの端子押し部
４８ａ…端子当接突起
４８ｂ…係合突起
４８ｃ…ストッパ突起
４８ｄ、４８ｅ…摺動部
４９…押し込み工具受け部
４９ａ…押し込み工具受け部の第１凹部
４９ｂ…押し込み工具受け部の第２凹部
５１…アース供給用電線挿入孔
５２…アース送り用電線挿入孔
５３、５４…アース線解除レバー
５５…アーム部
５６…アース線解除レバーの端子押し部
５６ａ…端子当接突起
５７…凸部
５８…押し込み工具受け部
７１…当接部
７１ａ…ガイド面
７２…ストッパ突起（ストッパ部）
７３、７４…端子押さえリブ（端子押さえ部）
７５…円形リブ
７６…連続リブ
８１…基板部
８１ａ…基板部の斜状端面
８２…第１電線受け部
８３…第２電線受け部
８４ａ、８５ａ…基部
８４ｂ、８５ｂ…鎖錠片
８４ｃ、８５ｃ…鎖錠片
９２…第１電線受け部
９３…第２電線受け部
９４ａ…基部
９４ｂ…鎖錠片
９４ｃ…鎖錠片
【図１】
0004483045.tif 000002
【図２】
0004483045.tif 000003
【図３】
0004483045.tif 000004
【図４】
0004483045.tif 000005
【図５】
0004483045.tif 000006
【図６】
0004483045.tif 000007
【図７】
0004483045.tif 000008
【図８】
0004483045.tif 000009
【図９】
0004483045.tif 000010
【図１０】
0004483045.tif 000011
【図１１】
0004483045.tif 000012
【図１２】
0004483045.tif 000013
【図１３】
0004483045.tif 000014
【図１４】
0004483045.tif 000015
【図１５】
0004483045.tif 000016
【図１６】
0004483045.tif 000017
【図１７】
0004483045.tif 000018
【図１８】
0004483045.tif 000019
【図１９】
0004483045.tif 000020
【図２０】
0004483045.tif 000021
【図２１】
0004483045.tif 000022
【図２２】
0004483045.tif 000023
【図２３】
0004483045.tif 000024
【図２４】
0004483045.tif 000025
【図２５】
0004483045.tif 000026
【図２６】
0004483045.tif 000027